(57)【要約】   スポーツボード・シミュレータ（１０）には主フレーム組立体（１１）を備え、該組立体を、高所アンカポイントから、該アンカポイントについて少なくとも限定的に枢動及び揺動動作するよう自在になるように、吊着しており、主フレーム組立体（１１）にはアーム（１７）を含み、該アームをユーザが把持できる、及び／又は該アームではユーザを装着帯（２５）によってフレーム組立体（１１）に固定できる。ユーザがその上に立つ長尺のボード（４０）を、主フレーム組立体（１１）から中間フレーム（３６）を介して吊着するが、該中間フレームによって、ボード（４０）が主フレーム組立体（１１）に関して、該主フレーム組立体（１１）の横断方向に延在する枢動軸（Ｃ-Ｃ）について、動作可能になる。ボード（４０）は、更なる軸Ｄ-Ｄ、Ｅ及びＦについても枢動可能である。【選択図】  図１
2009520518.tif 000002
【特許請求の範囲】
【請求項１】
スポーツボード・シミュレータには、高所アンカポイントから吊着するよう構成する主フレーム組立体であって、それにより前記フレーム組立体を、前記アンカポイントについて少なくとも限定的に枢動及び揺動動作するよう自在にし、前記主フレーム組立体を、前記シミュレータのユーザが把持する、或は該ユーザに固定するよう構成する前記主フレーム組立体と、前記ユーザを支持するよう構成する長尺のボードと、前記ボードを直接又は間接的に前記主フレーム組立体から吊着し、前記ボードを前記主フレーム組立体に関して、前記主フレーム組立体の横断方向に延在する第１枢動軸について動作可能にする手段と、を備えること、を特徴とするスポーツボード・シミュレータ。
【請求項２】
前記第１枢動軸を、主フレーム組立体に隣接して配置すること、を特徴とする請求項１に記載のスポーツボード・シミュレータ。
【請求項３】
前記第１枢動軸を、吊着手段の主フレーム組立体への連結部によって規定すること、を特徴とする請求項２に記載のスポーツボード・シミュレータ。
【請求項４】
前記主フレーム組立体には、吊着フレーム部材を介してアンカポイントから吊着するよう構成する副フレームを含むこと、を特徴とする請求項３に記載のスポーツボード・シミュレータ。
【請求項５】
前記吊着フレーム部材を、使用時に、アンカポイントから懸吊するよう構成すること、を特徴とする請求項４に記載のスポーツボード・シミュレータ。
【請求項６】
前記吊着フレーム部材は、使用時に、静止位置では、上方へライダーの頭上で、アンカポイントまで延在させること、及び前記アンカポイントを、使用時には、前記シミュレータを静止位置にした場合、ライダーの略頭上に配置すること、を特徴とする請求項５に記載のスポーツボード・シミュレータ。
【請求項７】
前記副フレームを前記吊着フレーム部材にしっかりと固定して永久的に固着する、或は前記吊着部材に取外可能に固着すること、を特徴とする請求項５又は請求項６に記載のスポーツボード・シミュレータ。
【請求項８】
前記副フレームには、ユーザの両側に位置するよう構成する両側のアームを含むこと、及び各アームを、ユーザが把持するよう構成すること、を特徴とする請求項７に記載のスポーツボード・シミュレータ。
【請求項９】
請求項８に記載され、前記アーム又は該アームの延伸部には、ユーザが把持する把持手段を設けること、を特徴とするスポーツボード・シミュレータ。
【請求項１０】
前記把持手段には、アームの端部から延伸可能なハンドルを備えること、を特徴とする請求項９に記載のスポーツボード・シミュレータ。
【請求項１１】
請求項４乃至１０の何れか１項に記載され、ライダーを副フレームに着脱可能に固定する手段を含むスポーツボード・シミュレータ。
【請求項１２】
前記着脱可能な固定手段には、ユーザの腰部又は臀部周りに固定するよう構成する手段を備えること、を特徴とする請求項１１に記載のスポーツボード・シミュレータ。
【請求項１３】
前記着脱可能な固定手段には、ベルト又は装着帯を備え、該ベルト又は装着帯には、それらをライダーの腰部又は臀部周りに固定可能にするために、着脱可能な取着手段を設けること、を特徴とする請求項１２に記載のスポーツボード・シミュレータ。
【請求項１４】
前記ベルト又は装着帯を、副フレームの横断方向に延在し、且つ第１軸と略平行な軸について限定的に枢動動作が可能になるように、副フレームに取着すること、を特徴とする請求項１１乃至１３の何れか１項に記載のスポーツボード・シミュレータ。
【請求項１５】
前記ボード吊着手段を、ボードの両外側に、該ボードの中心で、該ボードの横断方向に延在する軸上で連結すること、を特徴とする請求項４乃至１４の何れか１項に記載のスポーツボード・シミュレータ。
【請求項１６】
前記吊着手段により、ボードを主フレーム組立体から直接又は間接的に吊着すること、を特徴とする請求項１５に記載のスポーツボード・シミュレータ。
【請求項１７】
前記ボード吊着手段には、第１枢動軸について枢動動作可能となるように主フレーム組立体から吊着する中間フレームを備えること、を特徴とする請求項１６に記載のスポーツボード・シミュレータ。
【請求項１８】
前記吊着手段には、中間フレームを副フレームから吊着して、第１枢動軸について中間フレームを枢動動作させる第１吊着手段を備えること、を特徴とする請求項１７に記載のスポーツボード・シミュレータ。
【請求項１９】
前記中間フレームを、前記第１吊着手段で支持して、第１枢動軸から離間し、且つ該軸と略平行な第２枢動軸について枢動動作させること、を特徴とする請求項１８に記載のスポーツボード・シミュレータ。
【請求項２０】
前記第１吊着手段には、中間フレームの両側に第１吊着要素対を備えること、を特徴とする請求項１９に記載のスポーツボード・シミュレータ。
【請求項２１】
前記中間フレームには、環状又はリング形状部材を備えること、を特徴とする請求項２０に記載のスポーツボード・シミュレータ。
【請求項２２】
前記第１吊着要素を、該要素の上端部で副フレームに、下端部で中間フレームに連結すること、前記第１要素の前記副フレームへの連結部により、前記第１枢動軸を規定すること、前記第１要素の前記中間フレームへの連結部により、前記第２枢動軸を規定すること、を特徴とする請求項２０又は請求項２１に記載のスポーツボード・シミュレータ。
【請求項２３】
前記第１要素には、ロープ、帯紐、コード、鎖、ワイヤ、剛性リンク又はそれらの組合せを備えること、を特徴とする請求項２２に記載のスポーツボード・シミュレータ。
【請求項２４】
前記ボードを、中間フレームから第２吊着手段によって吊着して、第１及び第２枢動軸に略垂直に延在する第３枢動軸について動作させること、を特徴とする請求項１７乃至２３の何れか１項に記載のスポーツボード・シミュレータ。
【請求項２５】
前記第２吊着手段には、両側の第２吊着要素を備え、該要素を上端部で中間フレームに、下端部でボードに連結し、吊着要素の中間フレームへの連結部により、第３枢動軸を規定すること、を特徴とする請求項２４に記載のスポーツボード・シミュレータ。
【請求項２６】
前記第２吊着要素を中間フレームに、該フレームの径方向両側で、第１吊着要素の中間フレームへの連結部に対して約９０度の位置で、連結すること、を特徴とする請求項２５に記載のスポーツボード・シミュレータ。
【請求項２７】
前記第２吊着要素の下端部を、前記ボードの前記両外側に連結し、第３枢動軸と略平行して延在するボードに対する第４枢動軸を規定すること、を特徴とする請求項２４乃至２６の何れか１項に記載のスポーツボード・シミュレータ。
【請求項２８】
前記第２吊着要素には、ロープ、帯紐、コード、鎖、ワイヤ又は剛性リンク又はそれらの組合せを備えること、を特徴とする請求項２６に記載のスポーツボード・シミュレータ。
【請求項２９】
前請求項の何れか１項に記載され、垂直軸について主フレーム組立体の枢動動作に抵抗する手段を含むスポーツボード・シミュレータ。
【請求項３０】
前記抵抗手段には、弾性抵抗力を主フレーム組立体の回転に対して提供し、主フレーム組立体を容易に非枢動位置に向けて戻す、弾力性又は弾性手段を備えてもよいこと、を特徴とする請求項２９に記載のスポーツボード・シミュレータ。
【発明の詳細な説明】
【技術分野】
【０００１】
本発明は、スポーツボード・シミュレータに関し、特に、サーフィン、スケートボーディング、スノーボーディング又はカイトボーディングで用いる操作をシミュレートするよう設計したシミュレータに関する。本発明のシミュレータは、しかしながら、運動又はフィットネスプログラム又は、単なる娯楽目的で使用してもよい。
【背景技術】
【０００２】
サーフボード乗り、スケートボーディング、スノーボーディング及びカイトボーディングは、人気のアクティビティであるが、夫々ユーザがその上に立ったり乗ったりする様々な設計のホードが必要である。サーフボードやスケートボードの場合は、ライダーは通常ボードとは分離しているが、他方スノーボーディングやカイトボーディングの場合は、ライダーはブーツで連結されて、又はフットストラップ又は他の連結手段によりボードに保持される。
【０００３】
上記アクティビティでは、海上又は水上、陸上又は雪上のいずれであっても、ボードが移動するためにバランスを取るのが難しく、初心者がボード乗りを習得するのが、しばしば困難である。その上、初心者には短時間しかボード乗りを習得する時間がないことが多い。例えばサーフィンの習得は、状況が適切であれば、海で行うのが最良である。波が習得者に適している場合でも、人が、波が来ている短時間にボード上でバランスを保ち、ボードを制御することを体験し、習得するのは、極めて困難なことが多く、思ったように上達しないものである。スノーボード乗りを習得するには、言うまでもなく雪が必要で、従ってこのアクティビティは、そうした状況にアクセスできる人に限定される。カイトボーディングを練習するにも、適切な風の状況が必要である。
【０００４】
スケートボーディングやカイトボーディングも、初心者が能力を身に付けるのに多大な時間がかかる難しいアクティビティである。
【０００５】
たとえ上記アクティビティでボードに上手く乗れる者でも、技能又は運動能力を維持する、或は技能及び運動能力を向上するには多大な時間を費やす必要がある。例えばサーフボード乗りの場合、技能や運動能力を維持したい、或は向上させたいライダーは、波の状況に制約される。同様に、スノーボーディングやカイトボーディングの場合、ライダーは夫々雪の有無や風の状況によって制限される。
【発明の開示】
【０００６】
本発明は、スポーツボード・シミュレータを提供することを目的とし、該シミュレータは、特に、初心者がスポーツボード上でバランスを取り、安全に且つ正確に操作する方法を習得する支援を行うのに適するが、それに限定しない。本発明はまた、別の態様では、経験豊富なライダーを含むボードライダーが、ボード乗り技術や技能だけでなく、運動能力も向上可能にするシミュレータを提供することも、目的とする。本発明の他の目的及び効果については、以下の記述から明白となろう。
【０００７】
従って、本発明は、好適な１態様においてスポーツボード・シミュレータを提供するが、該シミュレータには、高所アンカポイントから吊着するよう構成する主フレーム組立体であって、それにより前記フレーム組立体を、上記アンカポイントについて少なくとも限定的に枢動及び揺動動作するよう自在にし、上記主フレーム組立体を、上記シミュレータのユーザが把持する、或は該ユーザに固定するよう構成する上記主フレーム組立体と、上記ユーザを支持するよう構成する長尺のボードと、上記ボードを直接又は間接的に上記主フレーム組立体から吊着し、上記ボードを上記主フレーム組立体に関して、該主フレーム組立体の横断方向に延在する第１枢動軸について動作可能にする手段と、を備える。
【０００８】
ここで用いる用語“ボード”には、木材、金属又はプラスチック材等の任意の材料で作製してもよい任意のボード状部材で、スケートボードデッキ、サーフボード、スノーボード又はカイト-サーフィンボードの形及び寸法に近似する形及びサイズを有する任意のボード状部材を含む。
【０００９】
好適には、第１枢動軸を、主フレーム組立体に隣接して配置する。好適には、また第１枢動軸を、吊着手段の主フレーム組立体への連結部によって規定する。
【００１０】
主フレーム組立体には副フレームを含み、該副フレームを、吊着フレーム部材を介してアンカポイントから吊着してもよい。好適には、吊着フレーム部材を、使用時には、アンカポイントから懸吊するよう構成し、好適には、該アンカポイントを、使用時に、シミュレータが静止位置にある場合に、ライダーの略頭上に配置する。適宜、吊着フレーム部材を、使用時には、静止位置で、上方にライダーの頭上でアンカポイントまで延在させる。吊着フレーム部材を、湾曲形状とする、又はＶ字型形状、又は任意の他の形状としてもよい。吊着フレーム部材には、適宜、剛性部材を備え、該部材を適宜、管状部材等の比較的細長部材から形成する。吊着フレーム部材を曲折させる、或は、要求する形に形成してもよい。
【００１１】
副フレームは、適宜、通常シミュレータの静止位置では、大凡水平方向に延在させる。副フレームを、好適には、吊着フレーム部材としっかりと固定する。副フレームを吊着フレーム部材に永久的に固着する、或は吊着部材に取外可能に固着してもよい。副フレームには適宜、両側のアームを含み、夫々のアームをユーザが把持してもよい。副フレームを適宜、平面図でＵ字型又はＶ字型形状にし、吊着部材に関して対称的に延伸させる。或は、取着フレームを、平面図で少なくとも部分的に円弧状にしてもよい。
【００１２】
副フレームのアームは適宜、ライダーが把持する把持手段を含む、又は規定する。把持手段には、アーム又は該アームの延伸部を備えてもよい。好適には、アーム及び／又は該アームの延伸部を、少なくともライダーの両側に延在させるが、好適には、アーム又は該アームの延伸部を、ライダーの前方に延在させる。把持手段には、アームの端部、又は延伸部に、ハンドルを備えてもよい。延伸部でハンドルを規定する場合には、該延伸部を適宜伸縮自在にアームと係合させる。好適には、ハンドルを、アームから延伸させて１箇所又は複数の定着位置に定着してもよい。ハンドルには、端部にグリップを設けて、容易にユーザが把持できるようにしてもよい。
【００１３】
好適には、ユーザを着脱可能に副フレームに固定可能にする手段も、設けてもよい。該着脱可能な固定手段には適宜、ユーザの腰部又は臀部について固定するよう構成する手段を、備える。該着脱可能な固定手段には適宜ベルト又は装着帯を備え、該ベルト又は装着帯には、着脱可能な連結手段を設けて、ベルト又は装着帯をライダーの腰部又は臀部周りに固定可能にする。該着脱可能な連結手段には、雄及び雌型バックル等の既知のバックルを備えてもよい。或は、着脱可能な取着手段には、スタッド、フック及びループ材料、例えばベルクロタイプの材料又は上記の組合せを備えてもよい。
【００１４】
ベルト又は装着帯を適宜、副フレームに着脱可能に取着するよう構成する。副フレームに取着するために、ベルト又は装着帯には、離間させた取着手段を含み、片面で副フレームの両側アームに取着してもよい。取着手段の１形態では、ベルト又は装着帯上にスタッドを備えて、副フレームの夫々のアームと係合させる。該スタッドを、副フレームのアーム又は副フレームのアームが担持する耳部にある孔に受容してもよい。好適には、ベルト又は装着帯を、副フレームの横断方向に延在し、且つ第１枢動軸に略平行な軸について限定的な枢動動作が可能になるように、取着手段によって副フレームに取着する。該軸を、典型的にはスタッドによって規定する。
【００１５】
好適には、ボードを更に、ボードの横断方向に延在し、且つ第１枢動軸に垂直な軸について少なくとも限定的な枢動動作が可能になるように、支持する。ボードを更に、ボードに略垂直に延在し、且つ第１枢動軸に垂直な軸について少なくとも限定的に枢動動作が可能になるように、適宜支持する。好適には、またボードを更に支持して、ボードの長手方向に延在し、且つ第１枢動軸に略平行な軸について少なくとも限定的に動作させる。
【００１６】
好適には、上述したボードの動作を、ボードを吊着手段で主フレーム組立体から吊着させる方法で、達成する。吊着手段により、直接又は間接的に、ボードを主フレーム組立体から吊着してもよい。特に好適な形態では、ボード用吊着手段には、主フレーム組立体から吊着する中間フレームを備えてもよい。該中間フレームを適宜、主フレーム組立体から、第１枢動軸について枢動動作が可能になるように、吊着する。好適には、中間フレームを、使用時にライダーを少なくとも部分的に包囲するような形のものにする。
【００１７】
好適には、第１吊着手段により、中間フレームを、主フレーム組立体の副フレームから吊着して、中間フレームを第１枢動軸について枢動動作させる。中間フレームをまた、第１吊着手段で適宜支持して、第１枢動軸から離間した、第１枢動軸と略平行な第２枢動軸について枢動動作させる。第１吊着手段には、中間フレームの両側に吊着要素を適宜備える。該吊着要素には、第１長尺要素又はリンクを備えてもよい。第１長尺要素又はリンクを、可撓性リンク、例えばロープ、帯紐、コード、鎖又はワイヤ、又はそれらの組合せとしてもよい。リンク又は要素を、その代わりに、剛性ロッド等の剛性リンクとしてもよい。
【００１８】
好適には、中間フレームには、環状又はリング形状部材を備え、第１要素又はリンクには、リング形状部材に、該部材の径方向両側夫々で、連結する１対のリンクを適宜備える。中間フレームを、ネオプレン材等の保護被覆体で被覆し、それによりライダーに及ぼし得る衝撃を吸収してもよい。
【００１９】
第１リンク又は要素を、上端部で、副フレームの両側アーム夫々に、下端部で中間フレームに、適宜連結する。アームは、第１要素又はリンクの上端部を、様々な位置で取付けてもよく、該位置によって第１枢動軸の位置を様々に規定する。この取付位置を、両側のアームにある耳部で規定してもよい。異なる取付位置には、夫々の耳部に離間して実装した孔を備え、該孔を通して、第１要素又はリンクをアームに、例えば適当なシャックル又は他の連結具によって固定してもよい。
【００２０】
好適には、第１吊着手段と中間フレームとの連結部により、第２枢動軸を規定する。従って、第１要素又はリンクの中間フレームへの連結部により、第２枢動軸を規定する。好適には、シャックル又は他の連結具を設けて、第１要素又はリンクの下端部を中間フレームに連結する。
【００２１】
好適には、ボードを第２吊着手段で、中間フレームから吊着して、第１及び第２枢動軸に略垂直に延在する第３枢動軸について可動にする。好適には、該第２吊着手段には、対向する吊着要素を備える。好適には、該吊着要素には、第２長尺要素又はリンクを備える。好適には、該第２吊着要素を、該要素の上端部で中間フレームに、下端部でボードに連結し、該第２吊着要素の中間フレームへの連結部により、第３枢動軸を規定する。好適には、第２吊着要素を中間フレームに、該フレームの径方向両側で、第１吊着要素の中間フレームへの連結部に対して約９０度の位置で、連結する。
【００２２】
第２要素又はリンクには、可撓性要素又はリンク、例えばロープ、帯紐、コード、鎖又はワイヤ又はそれらの組合せを、適宜備える。該リンク又は要素を、代わりに、剛性リンク又は要素としてもよい。該第２吊着要素を、それらの上端部で、中間フレームにシャックル又は他の連結手段で連結してもよい。
【００２３】
好適には、第２吊着要素の下端部を、ボード両側に、ボード両端部間の中間位置、好適には中心で連結する。第２吊着要素のボードへの連結部により、第３枢動軸と略平行して延在するボードに対して第４枢動軸を規定する。第２吊着要素を、該要素の下端部で、ボードの両側に設けたアイレットに連結してもよい。第２吊着要素を、スナップシャックル等のシャックル又は任意の他のアイレットへの連結具で、結合してもよい。
【００２４】
第２吊着要素によってまた、ボードを中間フレームに関して、第１及び第２及び第３及び第４軸に垂直に延在する第５軸について、限定的に枢動動作を可能にもできる。
【００２５】
主フレーム組立体の吊着フレーム部材を、使用時に、例えば天井フレーム部材又は梁に固定した輪付ボルト又はネジに連結する等して、任意の高所アンカポイントから、自由に垂直軸について回転動作し、任意の方向に揺動動作するように、吊着してもよい。主フレーム部材を、或は、自在継手によって高所アンカポイントから吊着してもよい。或は、主フレーム部材を、水平レール等から懸吊させてもよい。主フレーム組立体の垂直軸についての枢動動作に抵抗する手段を、設けてもよい。該抵抗手段には、弾性抵抗力を主フレーム組立体の回転に対して提供し、容易に非枢動位置に向かい主フレーム組立体を戻すようにする、弾力性又は弾性手段を備えてもよい。該弾性抵抗手段を、吊着フレーム部材をアンカポイントに連結する手段と関連させてもよい。
【００２６】
上述のボードの支持方法により、ボードの横断方向軸についての枢動動作だけでなく、相対方向でのボードの揺動、及びボードの垂直軸についての限定的な枢動動作が可能になる。中間フレームによって、ボードが、その枢動動作の横断方向軸に直角に延在するが、該軸から離隔する軸について更に枢動動作可能になる。その結果、可能になった動作範囲で、ライダーは、あたかもサーフボード、スケートボード、スノーボード又はカイトサーフィンボードに乗ったごとき経験をするような、広範な動作を体験できる。
【００２７】
（発明を実施するための最良の形態）
本発明について一層容易に理解し、実用化可能にするために、次に本発明の好適実施例を説明する添付図について言及する。
【００２８】
図面、まず図１〜図４を参照すると、本発明の１実施例によるスポーツボード・シミュレータ１０について説明しており、該シミュレータ１０には、高所アンカポイントから吊着するよう構成した主支持フレーム組立体１１を含む。主フレーム組立体１１には、部分的に円弧状をした吊着フレーム部材１２を備え、該部材を典型的には管状部材とし、該管状部材には、該部材１２をアンカポイントに取着してもよい輪付ボルト１４又は他の継手を担持する第１上端部１３と、副フレーム１６を固定する第２下端部１５とを有し、該副フレーム１６をフレーム部材１２で、シミュレータ１０の縦方向軸Ａ-Ａに対して対称的に支持し、シミュレータ１０の静止位置では該Ａ-Ａ軸を略垂直にする。フレーム部材１２を、部分的に円形又は円弧形で示したが、例えば、正方形、長方形、楕円形又はＶ字型又はＵ字型等、様々な異なる形状としてもよい。
【００２９】
図３及び図４でより明瞭に示すように、副フレーム１６を、平面図で略Ｕ字型又はＶ字型とし、一対の両側に開平したアーム１７と、該副フレームの頂点にアーム１７の横断方向及び上方に延伸する中心スピゴット１８を有し、該スピゴットを、吊着フレーム部材１２の下端部１５内に受容させ、そこで溶接又はボルトで固定する。着脱可能なハンドル部材１９を、アーム１７の自由端に設け、アーム１７から延伸可能なように該アーム内に伸縮自在に受容可能にするが、図示した実施例では、ハンドル部材１９を上斜めに向け、該部材にはハンドグリップ２０を担持させている。孔２２を有する第１の横方向に並べた耳部２１対を、副フレーム１６の両側に設け、各アーム１７の上側に固定する。更なる耳部２３を、フレーム１６の両側にも設け、各アーム１７の下側に固定する。耳部２３には、以下で明らかになる目的のために、複数の離間させた孔２４を設ける。
【００３０】
副フレーム１６で装着帯２５を支持する（図７乃至図１０も参照）が、該装着帯を、ユーザの身体周りに腰部又は臀部で固定するように構成する。装着帯２５をベルト状の部材とし、この実施例では内層に発泡体２７及び２８を詰めた重いプラスチックの外側パネル２６を備える。層２７を同実施例では１０ｍｍの高密度発泡体とし、層２８は５０ｍｍの中密度発泡体から成る。発泡体２７及び２８とパネル２６を、繊維又は他の柔軟な材料製の外側カバー２９内に封入する。帯紐３０をカバー２９の内側に固定するが、例えば、紐３０の片方の端部を縫合して、雌バックル３１で終端させ、他端部をループ３２に自在に通して雄バックル３３で終端させて、これを行う。帯紐３０を該端部では遊離状態にして、ループ３２を通して可動にする。１対のネジ付スタッド３４を金属裏当てプレート３５に固着し、該プレートを、カバー２８内のパネル２６内側に、装着帯２５の中心で対称的に配置する。スタッド３４は、装着帯２５の裏側で、パネル２６及びカバー２９の開口部を通り外方に延在する。スタッド３４を、しかしながら、図１１に示すように、耳部２１の各孔２２に挿入し、耳部２１にナットによって固定する。これにより装着帯２５が取着フレーム１６にしっかりと固着される。スタッド３４は該孔２１内で回転でき、それにより装着帯２５を、フレーム１６の横断方向に延伸する軸Ｂ-Ｂと軸Ａ-Ａについて限定的に枢動可能になる。（図４参照）。別の仕組みでは、耳部２１を除いて、スタッド３４を単に直接アーム１７に固定して、装着帯２５に対して所望の枢動を提供してもよい。
【００３１】
図５及び図６でも示す中間ボード支持用枢動フレーム３６を、副フレーム１６から吊着し、フレーム３６は、典型的には環状の剛性金属又はガラス強化プラスチック製リングから成る。リング状フレーム３６を、ネオプレン管等の軽量の保護パッド３７で被覆する。両側の可撓性要素又は線３８には、例えば鎖、予張したロープ、ウェビング、ワイヤ又はケーブル、或はそれらの組合せ等を備えることができ、該要素又は線３８により、リング状フレーム３６を副フレーム１６に固定し、該要素又は線３８を、下端部でシャックル３９によってフレーム３６の径方向両側にある部品に固定する。要素又は線３８の上端部を各耳部２３に、該耳部の選択した孔２４に通して、適当なシャックル又は他の連結用仕組みを使用して、固定する。可撓性要素又は線３８に代わるものとして、長尺の剛性リンクを使用してもよく、該リンクをフレーム３６及びフレーム１６に夫々同様に枢動連結させる。要素３８と耳部２３との間の連結部により、縦軸Ａ-Ａを横断して延在する第１枢動軸Ｃ-Ｃを規定し、要素３８と中間フレーム３６との間の連結部により、第１枢動軸Ｃ-Ｃと略平行に延在する第２枢動軸Ｄ-Ｄを規定する（図１参照）。
【００３２】
長尺の略平坦なボード４０（図１２及び図１３も参照）は、スケートボード、スノーボード又はカイトサーフィン用デッキとサイズ、形状を同様なものとし、ファイバーグラス、金属又は合板等の材料製として強度を高めることができ、これを中間フレーム３６から２本の更なる線又は要素４１で吊着する。線又は要素４１を、それらの上端部で、フレーム３６にシャックル４２でフレーム３６の径方向両側部分に固定するが、線３８のシャックル３９を通したフレーム３６への取着点から９０度離間させた位置で、これを行う。線又は要素４１の上端部と中間フレーム３６との間の連結部により、第１及び第２枢動軸Ｃ-Ｃ及びＤ-Ｄと直角な、第３枢動軸Ｅ-Ｅを規定する。
【００３３】
線又は要素４１を、鎖、予張したロープ、ウェビング、ワイヤ又はケーブル、或はそれらの組合せとしてもよく、これらをボード３９の両側に、ボード３９の両端部との中間に存在する該ボード３９の平衡点で、固定し、それによりボード３９を、図６及び図１２において点線で表した、ボード３９の長手方向軸に垂直に延在する軸Ｆ-Ｆの周りに枢動可能にする。要素又は線４１を、任意の適切な継手、例えば、ボード４０の両横側に固着した輪付ボルト４３に着脱可能に固定するシャックル４２等で、ボード４０に取着する。輪付ボルト４３を、ボード４０の両端部を遊離状態にしたまま、ボード４０の中間の両端部に配置し、両輪付ボルト４３により、軸Ｅ-Ｅと平行に延在する横断方向の枢動軸Ｆ-Ｆを規定する。輪付ボルト４３で規定する枢動軸Ｆ-Ｆを、ボード４０の両端部の略中心に存在させ、それによりボード４０を軸Ｆ-Ｆに関して略平衡にする。他の仕組みでは、線又は要素４１には、両端部でフレーム３６及びボード４０に枢着する長尺の剛性リンクを備えてもよい。
【００３４】
設置に関しては、図１４で示すように、シミュレータ１０を、例えば、任意の安定したアンカポイントから、例えば主フレーム部材１２の端部１３に連結した輪付ボルト１４を使用して、吊着し、それによりフレーム部材１２が、ボルト１４の軸について任意の方向に枢動できるようにする。スナップシャックル４３を使用して、輪付ボルト１４を、梁４５を貫通してボルト固定した更なる輪付ボルト４４へ連結する。シミュレータ１０を梁４５から、床又は地面とボード４０との間に十分に間隔が開くように吊着して、ボード４０の端部が、輪付ボルト４３で規定した枢動軸について前後に完全に傾斜させると、床又は地面に極僅かに接触するか、極僅かに上に来るようにする。当然ながら、図１４に示した取付けにより、シミュレータ１０を、輪付ボルト１４の軸で規定した垂直軸について枢動又は旋回可能になるだけでなく、水平軸についても任意の方向に揺動可能になる。
【００３５】
図１５に示す吊着の仕組みでは、シミュレータ１０の回転運動を制限するよう設計しており、輪付ボルト１４が主フレーム部材１２の端部１３に直角に延伸し、スペーサ４６を通過して、ナット４７で適所に固着されており、それにより縦軸について回転可能にしている。輪付ボルト１４を、シャックル４８、及び鎖リンク４９を介して輪付プレート５０に連結し、該輪付プレート５０を梁４５にボルトで固定する等して固定する。ゴム又は他の弾力性又は弾性材料製の１対の弾性抵抗リング５１を、主フレーム部材１２の端部１３と輪付ボルト１４の輪５２との間で、輪付ボルト１４の両側に延在させる。或は、これら１対のリング５１を、単一のリングに置換してもよい。こうした構造のシミュレータ１０用吊着の仕組みにより、シミュレータが自動的に中心に戻るようになっている。従って、主フレーム組立体１１、従ってシミュレータ１０の吊着フレーム部材１２を、何れかの方向に回転させると、弾性リング又はリング５１が引張られ、容易にシミュレータ１０を反対側に回転運動させ、中立位置にシミュレータを戻す。
【００３６】
使用時には、図１及び図１６で示すように、ライダー５３はボード４０に、片方の端部を傾けて地面に着けて固定させて、乗る。ライダー５３はその後後退して装着帯２５に接触して、自分の腰部又は臀部周りでクリップ３１と３３を留めて、紐３０を引締め、それによりフレーム１６に付着した状態になる。ライダー５３は、この時点で、吊着フレーム部材１２が背後にあり、アーム１７が腰部又は臀部の高さで、身体の両側で前方に延在した状態となる。
【００３７】
ライダー５０は、ハンドル１９のハンドグリップ２０を把持し、足で水平を保ち、自分の体重を移動させて、シミュレータ１０を揺動し始める。枢動軸Ｃ-Ｃを、略股関節の高さにし、そうしてライダー５０が臀部を曲折すると、ボード４０及び中間フレーム３６が軸Ｃ-Ｃについて枢動する。この動作では、装着帯又はベルト２５の軸Ｂ-Ｂについての枢動動作を伴うこともできる。軸Ｄ-Ｄを、略膝の高さにし、そうして膝を屈曲又は曲折すると、中間フレーム３６及びボード４０が軸Ｄ-Ｄについて枢動動作する。ボード５０を、ライダーが軸Ｅ-Ｅ及び軸Ｆ-Ｆの両軸について枢動させることもできる。
【００３８】
ボード４０も、主フレーム組立体１１をそのアンカポイントから吊着するため、回転及び回動でき、それによりライダーは、図１６中の矢印で表すように、サーフィン、スノーボーディング、スケートボーディング又はカイトサーフィンで見られる、多数の異なる軸について操作を行える。図１７で示すようにリング状の中間フレーム３６は、水平姿勢から略９０度以上の垂直位置まで任意の方向に揺動でき、シミュレータ１０のスイベル取付けで規定される垂直軸について可動である。ライダーは、リング３６に対して任意の方向に４５度の位置まで、リング３６と共に９０度の位置まで簡単に揺動できる一方で、フレーム３６及びボード４０を、図１９で明らかなように３６０度回転できる。装着帯２５により、ライダーの落下を防ぐだけでなく、身体を動かしてシミュレータ１０を更に制御することもできる。ライダーが経験を積むにつれ、ハンドル部材１９を除去し、腕を自由にして、ライダーの両腕の動作を全く妨害しないようにできる。或は、ライダーは装着帯２５無しで本装置１０を使用し、単にハンドル部材１９だけを把持することができる。
【００３９】
勿論、シミュレータ１０を任意の方法で、例えば天井大梁、任意の形状のクロスレール、揺動する又は強い樹木の大枝に掛けたフレームと同様なフレーム等の専用フレーム等の、高所取付体に固定してもよい。輪付ボルト以外の他の手段を使用して、適所にシミュレータ１０を固定してもよい。
【００４０】
ジンバル状に吊着することで、ボードの動作が自由になり、そのためシミュレータ上のライダーは、実際のスポーツでの、回動操作、重力加速度、無重力状態、速度及び技術的応用を再現できる。本シミュレータにより、ライダーが低運動レベルから開始して、自分の選んだスポーツで運動能力を向上させ、同時に安全に制御して操作を練習及び習得できる。従って、サーフボード乗りに必要な技能又はスノーボーディング技能を習得したいライダーは、技能を習得する又は向上させる、及び単に乗ることを楽しむために、海や雪原に行く必要がなくなる。
【００４１】
本明細書及びクレーム全体を通して使用する、用語“備える（ｃｏｍｐｒｉｓｉｎｇ）”又は“備える（ｃｏｍｐｒｉｓｅｓ）”は、言及した上記特徴、整数及び構成要素の存在を特定するが、１つ又は複数の他の特徴、整数、構成要素又はその群の存在又は追加を排除するものではないと解釈される。
【００４２】
上記は、本発明の実施例を説明する目的で挙げたものであり、それらに対する、当業者には明白であろうあらゆる変形例及び変更例については、付記されたクレームで定義するように、広範に亘る本発明の範囲及び領域内に包含するものと見なす。
【図面の簡単な説明】
【００４３】
【図１】本発明の１実施例による、スポーツボード・シミュレータに、ライダー又はユーザをその上に支持した正面図である。
【図２】シミュレータの主フレーム組立体の側面図である。
【図３】シミュレータの主フレーム組立体の前面図である。
【図４】シミュレータの主フレーム組立体の平面図である。
【図５】中間支持フレームの平面図である。
【図６】シミュレータの中間支持フレーム及び吊着したボードの側面図である。
【図７】シミュレータの装着帯を両側から見た前面図について説明する。
【図８】シミュレータの装着帯を両側から見た前面図について説明する。
【図９】装着帯の平面図である。
【図１０】装着帯の構造に関する詳細について説明する。
【図１１】装着帯を主フレーム組立体の副フレームのアームに固定する方法、及びその部分での装着帯の断面図について説明する。
【図１２】等角図で、シミュレータで使用するボードの１形態について、説明する。
【図１３】側面図で、シミュレータで使用するボードの１形態について、説明する。
【図１４】シミュレータを支持する、他の取付仕組みについて説明する。
【図１５】シミュレータを支持する、他の取付仕組みについて説明する。
【図１６】シミュレータを使用する方法について説明する。
【図１７】前又は横の典型的なシミュレータの中間フレームの動作について説明する。
【図１８】典型的な中間フレームの動作について説明する平面図である。
【図１９】典型的なボード及び中間フレームの動作について説明する平面図である。
【図２０】典型的なシミュレータのボードの動作について側面図である。
【符号の説明】
【００４４】
１０                  シミュレータ
１１                  主支持フレーム組立体
１２                  吊着フレーム部材
１３                  第１上端部
１４、４３        輪付ボルト
１５                  第２下端部
１６                  副フレーム
１７                  アーム
１８                  中心スピゴット
１９                  ハンドル部材
２１、２３        耳部
２２、２４        孔
２５                  装着帯
２６                  パネル
２７、２８        発泡体
２９                  外側カバー
３１、３３        クリップ
３４                  スタッド
３５                  プレート
３６                  フレーム
３７                  保護パッド
３８、４１        可撓性要素又は線
３９、４２        シャックル
４０                  ボード
４５                  梁
４６                  スペーサ
４７                  ナット
５０                  輪付プレート
５３                  ライダー
【図１】
2009520518.tif 000003
【図２】
2009520518.tif 000004
【図３】
2009520518.tif 000005
【図４】
2009520518.tif 000006
【図５】
2009520518.tif 000007
【図６】
2009520518.tif 000008
【図７】
2009520518.tif 000009
【図８】
2009520518.tif 000010
【図９】
2009520518.tif 000011
【図１０】
2009520518.tif 000012
【図１１】
2009520518.tif 000013
【図１２】
2009520518.tif 000014
2009520518.tif 000015
【図１４】
2009520518.tif 000016
【図１５】
2009520518.tif 000017
【図１６】
2009520518.tif 000018
【図１７】
2009520518.tif 000019
【図１８】
2009520518.tif 000020
【図１９】
2009520518.tif 000021
【図２０】
2009520518.tif 000022
【手続補正書】
【提出日】平成20年8月22日(2008.8.22)
【手続補正１】
【補正対象書類名】特許請求の範囲
【補正対象項目名】全文
【補正方法】変更
【補正の内容】
【特許請求の範囲】
【請求項１】
スポーツボード・シミュレータには、単独の高所アンカポイントから吊着するよう構成する主フレーム組立体であって、それにより前記フレーム組立体を、前記アンカポイントについて少なくとも限定的に回転枢動及び揺動動作するよう自在にし、前記主フレーム組立体を、前記シミュレータのユーザが把持する、或はユーザに固定するよう構成する前記主フレーム組立体と、前記ユーザを支持するよう構成する長尺のボードと、前記ボードを直接又は間接的に前記主フレーム組立体から吊着する吊着手段であって、前記吊着手段を１対の離間した枢動点で、前記主フレーム組立体に連結し、前記枢動点を、前記主フレーム組立体の横断方向に延在する第１枢動軸に沿って離間させ、前記吊着手段により、前記ボードを前記主フレーム組立体に関して前記枢動点について自在に動作可能にする前記吊着手段と、を備えること、を特徴とするスポーツボード・シミュレータ。
【請求項２】
前記主フレーム組立体には、吊着フレーム部材を介してアンカポイントから吊着するよう構成する副フレームを含むこと、を特徴とする請求項１に記載のスポーツボード・シミュレータ。
【請求項３】
前記吊着フレーム部材を、使用時に、アンカポイントから懸吊するよう構成すること、を特徴とする請求項２に記載のスポーツボード・シミュレータ。
【請求項４】
前記吊着フレーム部材は、使用時に、静止位置では、上方へライダーの頭上で、アンカポイントまで延在させること、及び前記アンカポイントを、使用時には、前記シミュレータを静止位置にした場合、ライダーの略頭上に配置すること、を特徴とする請求項３に記載のスポーツボード・シミュレータ。
【請求項５】
前記副フレームを前記吊着フレーム部材にしっかりと固定して永久的に固着する、或は前記吊着部材に取外可能に固着すること、を特徴とする請求項３又は請求項４に記載のスポーツボード・シミュレータ。
【請求項６】
前記副フレームには、ユーザの両側に位置するよう構成する両側のアームを含むこと、及び各アームを、ユーザが把持するよう構成すること、を特徴とする請求項５に記載のスポーツボード・シミュレータ。
【請求項７】
前記アーム又は該アームの延伸部には、ユーザが把持する把持手段を設けること、を特徴とする請求項６に記載のスポーツボード・シミュレータ。
【請求項８】
前記把持手段には、アームの端部から延伸可能なハンドルを備えること、を特徴とする請求項７に記載のスポーツボード・シミュレータ。
【請求項９】
ライダーを副フレームに着脱可能に固定する手段を含む請求項２乃至８の何れか１項に記載のスポーツボード・シミュレータ。
【請求項１０】
前記着脱可能な固定手段には、ユーザの腰部又は臀部周りに固定するよう構成する手段を備えること、を特徴とする請求項９に記載のスポーツボード・シミュレータ。
【請求項１１】
前記着脱可能な固定手段には、ベルト又は装着帯を備え、該ベルト又は装着帯には、それらをライダーの腰部又は臀部周りに固定可能にするために、着脱可能な取着手段を設けること、を特徴とする請求項１０に記載のスポーツボード・シミュレータ。
【請求項１２】
前記ベルト又は装着帯を、副フレームの横断方向に延在し、且つ第１軸と略平行な軸について限定的に枢動動作が可能になるように、副フレームに取着すること、を特徴とする請求項１１に記載のスポーツボード・シミュレータ。
【請求項１３】
前記ボード吊着手段を、ボードの両外側に、該ボードの中心で、該ボードの横断方向に延在する軸上で連結すること、を特徴とする請求項１乃至１２の何れか１項に記載のスポーツボード・シミュレータ。
【請求項１４】
前記ボード吊着手段には、第１枢動軸について枢動動作可能となるように主フレーム組立体にある枢動点から吊着する中間フレームを備えること、を特徴とする請求項１３に記載のスポーツボード・シミュレータ。
【請求項１５】
前記吊着手段には、中間フレームを副フレームから吊着して、第１枢動軸について中間フレームを枢動動作させる第１吊着手段を備えること、を特徴とする請求項１４に記載のスポーツボード・シミュレータ。
【請求項１６】
前記中間フレームを、前記第１吊着手段で支持して、第１枢動軸から離間し、且つ該軸と略平行な第２枢動軸について枢動動作させること、を特徴とする請求項１５に記載のスポーツボード・シミュレータ。
【請求項１７】
前記第１吊着手段には、中間フレームの両側に第１吊着要素対を備えること、を特徴とする請求項１６に記載のスポーツボード・シミュレータ。
【請求項１８】
前記中間フレームには、環状又はリング形状部材を備えること、を特徴とする請求項１７に記載のスポーツボード・シミュレータ。
【請求項１９】
前記第１吊着要素を、該要素の上端部で副フレームに、下端部で中間フレームに連結すること、前記第１要素の前記副フレームへの連結部により、前記第１枢動軸を規定すること、前記第１要素の前記中間フレームへの連結部により、前記第２枢動軸を規定すること、を特徴とする請求項１７又は請求項１８に記載のスポーツボード・シミュレータ。
【請求項２０】
前記第１要素には、ロープ、帯紐、コード、鎖、ワイヤ、剛性リンク又はそれらの組合せを備えること、を特徴とする請求項１９に記載のスポーツボード・シミュレータ。
【請求項２１】
前記ボードを、中間フレームから第２吊着手段によって吊着して、静止位置で第１及び第２枢動軸に略垂直に延在する第３枢動軸について動作させること、を特徴とする請求項１４乃至２０の何れか１項に記載のスポーツボード・シミュレータ。
【請求項２２】
前記第２吊着手段には、両側の第２吊着要素を備え、該要素を上端部で中間フレームに、下端部でボードに連結し、吊着要素の中間フレームへの連結部により、第３枢動軸を規定すること、を特徴とする請求項２１に記載のスポーツボード・シミュレータ。
【請求項２３】
前記第２吊着要素を中間フレームに、該フレームの径方向両側で、第１吊着要素の中間フレームへの連結部に対して約９０度の位置で、連結すること、を特徴とする請求項２２に記載のスポーツボード・シミュレータ。
【請求項２４】
前記第２吊着要素の下端部を、前記ボードの前記両外側に連結し、該下端部により、静止位置で第３枢動軸と略平行して延在するボードに対する第４枢動軸を規定すること、を特徴とする請求項２２又は請求項２３に記載のスポーツボード・シミュレータ。
【請求項２５】
前記第２吊着要素には、ロープ、帯紐、コード、鎖、ワイヤ又は剛性リンク又はそれらの組合せを備えること、を特徴とする請求項２４に記載のスポーツボード・シミュレータ。
【請求項２６】
垂直軸について主フレーム組立体の枢動動作に抵抗する手段を含む、請求項１乃至２５の何れか１項に記載のスポーツボード・シミュレータ。
【請求項２７】
前記抵抗手段には、弾性抵抗力を主フレーム組立体の回転に対して提供し、主フレーム組立体をセルフセンタリング位置に向けて戻すよう構成する、弾力性又は弾性手段を備えること、を特徴とする請求項２６に記載のスポーツボード・シミュレータ。
【手続補正２】
【補正対象書類名】明細書
【補正対象項目名】全文
【補正方法】変更
【補正の内容】
【書類名】明細書
【発明の名称】スポーツボード・シミュレータ
【技術分野】
【０００１】
本発明は、スポーツボード・シミュレータに関し、特に、サーフィン、スケートボーディング、スノーボーディング又はカイトボーディングで用いる操作をシミュレートするよう設計したシミュレータに関する。本発明のシミュレータは、しかしながら、運動又はフィットネスプログラム又は、単なる娯楽目的で使用してもよい。
【背景技術】
【０００２】
サーフボード乗り、スケートボーディング、スノーボーディング及びカイトボーディングは、人気のアクティビティであるが、夫々ユーザがその上に立ったり乗ったりする様々な設計のホードが必要である。サーフボードやスケートボードの場合は、ライダーは通常ボードとは分離しているが、他方スノーボーディングやカイトボーディングの場合は、ライダーはブーツで連結されて、又はフットストラップ又は他の連結手段によりボードに保持される。
【０００３】        
上記アクティビティでは、海上又は水上、陸上又は雪上のいずれであっても、ボードが移動するためにバランスを取るのが難しく、初心者がボード乗りを習得するのが、しばしば困難である。その上、初心者には短時間しかボード乗りを習得する時間がないことが多い。例えばサーフィンの習得は、状況が適切であれば、海で行うのが最良である。波が習得者に適している場合でも、人が、波が来ている短時間にボード上でバランスを保ち、ボードを制御することを体験し、習得するのは、極めて困難なことが多く、思ったように上達しないものである。スノーボード乗りを習得するには、言うまでもなく雪が必要で、従ってこのアクティビティは、そうした状況にアクセスできる人に限定される。カイトボーディングを練習するにも、適切な風の状況が必要である。
【０００４】
スケートボーディングやカイトボーディングも、初心者が能力を身に付けるのに多大な時間がかかる難しいアクティビティである。
【０００５】
たとえ上記アクティビティでボードに上手く乗れる者でも、技能又は運動能力を維持する、或は技能及び運動能力を向上するには多大な時間を費やす必要がある。例えばサーフボード乗りの場合、技能や運動能力を維持したい、或は向上させたいライダーは、波の状況に制約される。同様に、スノーボーディングやカイトボーディングの場合、ライダーは夫々雪の有無や風の状況によって制限される。
【発明の開示】
【０００６】
本発明は、スポーツボード・シミュレータを提供することを目的とし、該シミュレータは、特に、初心者がスポーツボード上でバランスを取り、安全に且つ正確に操作する方法を習得する支援を行うのに適するが、それに限定しない。本発明はまた、別の態様では、経験豊富なライダーを含むボードライダーが、ボード乗り技術や技能だけでなく、運動能力も向上可能にするシミュレータを提供することも、目的とする。本発明の他の目的及び効果については、以下の記述から明白となろう。
【０００７】        
従って、本発明は、好適な１態様においてスポーツボード・シミュレータを提供するが、該シミュレータには、単独の高所アンカポイントから吊着するよう構成する主フレーム組立体であって、それにより上記フレーム組立体を、上記アンカポイントについて少なくとも限定的に回転枢動及び揺動動作するよう自在にし、上記主フレーム組立体を、上記シミュレータのユーザが把持する、或はユーザに固定するよう構成する上記主フレーム組立体と、該ユーザを支持するよう構成する長尺のボードと、該ボードを直接又は間接的に上記主フレーム組立体から吊着する吊着手段であって、該吊着手段を１対の離間した枢動点で、上記主フレーム組立体に連結し、上記枢動点を、上記主フレーム組立体の横断方向に延在する第１枢動軸に沿って離間させ、上記吊着手段により、上記ボードを上記主フレーム組立体に関して上記枢動点について自在に動作可能にする上記吊着手段と、を備える。
【０００８】
ここで用いる用語“ボード”には、木材、金属又はプラスチック材等の任意の材料で作製してもよい任意のボード状部材で、スケートボードデッキ、サーフボード、スノーボード又はカイト-サーフィンボードの形及び寸法に近似する形及びサイズを有する任意のボード状部材を含む。
【０００９】
主フレーム組立体には副フレームを含み、該副フレームを、吊着フレーム部材を介してアンカポイントから吊着してもよい。好適には、吊着フレーム部材を、使用時には、アンカポイントから懸吊するよう構成し、好適には、該アンカポイントを、使用時に、シミュレータが静止位置にある場合に、ライダーの略頭上に配置する。適宜、吊着フレーム部材を、使用時には、静止位置で、上方にライダーの頭上でアンカポイントまで延在させる。吊着フレーム部材を、湾曲形状とする、又はＶ字型形状、又は任意の他の形状としてもよい。吊着フレーム部材には、適宜、剛性部材を備え、該部材を適宜、管状部材等の比較的細長部材から形成する。吊着フレーム部材を曲折させる、或は、要求する形に形成してもよい。
【００１０】
副フレームは、適宜、通常シミュレータの静止位置では、大凡水平方向に延在させる。副フレームを、好適には、吊着フレーム部材としっかりと固定する。副フレームを吊着フレーム部材に永久的に固着する、或は吊着部材に取外可能に固着してもよい。副フレームには適宜、両側のアームを含み、夫々のアームをユーザが把持してもよい。副フレームを適宜、平面図でＵ字型又はＶ字型形状にし、吊着部材に関して対称的に延伸させる。或は、取着フレームを、平面図で少なくとも部分的に円弧状にしてもよい。
【００１１】
副フレームのアームは適宜、ライダーが把持する把持手段を含む、又は規定する。把持手段には、アーム又は該アームの延伸部を備えてもよい。好適には、アーム及び／又は該アームの延伸部を、少なくともライダーの両側に延在させるが、好適には、アーム又は該アームの延伸部を、ライダーの前方に延在させる。把持手段には、アームの端部、又は延伸部に、ハンドルを備えてもよい。延伸部でハンドルを規定する場合には、該延伸部を適宜伸縮自在にアームと係合させる。好適には、ハンドルを、アームから延伸させて１箇所又は複数の定着位置で定着してもよい。ハンドルには、端部にグリップを設けて、容易にユーザが把持できるようにしてもよい。
【００１２】
好適には、ユーザを着脱可能に副フレームに固定可能にする手段も、設けてもよい。該着脱可能な固定手段には適宜、ユーザの腰部又は臀部について固定するよう構成する手段を、備える。該着脱可能な固定手段には適宜ベルト又は装着帯を備え、該ベルト又は装着帯には、着脱可能な連結手段を設けて、ベルト又は装着帯をライダーの腰部又は臀部周りに固定可能にする。該着脱可能な連結手段には、雄及び雌型バックル等の任意の既知のバックルを備えてもよい。或は、着脱可能な取着手段には、スタッド、フック及びループ材料、例えばベルクロタイプの材料又は上記の組合せを備えてもよい。
【００１３】
ベルト又は装着帯を適宜、副フレームに着脱可能に取着するよう構成する。副フレームに取着するために、ベルト又は装着帯には、離間させた取着手段を含み、片面で副フレームの両側アームに取着してもよい。取着手段の１形態では、ベルト又は装着帯上にスタッドを備えて、副フレームの夫々のアームと係合させる。該スタッドを、副フレームのアーム又は副フレームのアームが担持する耳部にある孔に受容してもよい。好適には、ベルト又は装着帯を、副フレームの横断方向に延在し、且つ第１枢動軸に略平行な軸について限定的な枢動動作が可能になるように、取着手段によって副フレームに取着する。該軸を、典型的にはスタッドによって規定する。
【００１４】
好適には、ボードを更に、ボードの横断方向に延在し、且つ第１枢動軸に垂直な軸について少なくとも限定的な枢動動作が可能になるように、支持する。ボードを更に、ボードに略垂直に延在し、且つ第１枢動軸に垂直な軸について少なくとも限定的に枢動動作が可能になるように、適宜支持する。好適には、またボードを更に支持して、ボードの長手方向に延在し、且つ第１枢動軸に略平行な軸について少なくとも限定的に動作させる。
【００１５】
好適には、上述したボードの動作を、ボードを吊着手段で主フレーム組立体から吊着させる方法で、達成する。特に好適な形態では、ボード用吊着手段には、主フレーム組立体の枢動点から吊着する中間フレームを備えてもよい。該中間フレームを適宜、主フレーム組立体から、第１枢動軸について枢動動作が可能になるように、吊着する。好適には、中間フレームを、使用時にライダーを少なくとも部分的に包囲するような形のものにする。
【００１６】
好適には、第１吊着手段により、中間フレームを、主フレーム組立体の副フレームから吊着して、中間フレームを第１枢動軸について枢動動作させる。中間フレームをまた、第１吊着手段で適宜支持して、第１枢動軸から離間した、第１枢動軸と略平行な第２枢動軸について枢動動作させる。第１吊着手段には、中間フレームの両側に吊着要素を適宜備える。該吊着要素には、第１長尺要素又はリンクを備えてもよい。第１長尺要素又はリンクを、可撓性リンク、例えばロープ、帯紐、コード、鎖又はワイヤ、又はそれらの組合せとしてもよい。リンク又は要素を、その代わりに、剛性ロッド等の剛性リンクとしてもよい。
【００１７】
好適には、中間フレームには、環状又はリング形状部材を備え、第１要素又はリンクには、リング形状部材に、該部材の径方向両側夫々で、連結する１対のリンクを適宜備える。中間フレームを、ネオプレン材等の保護被覆体で被覆し、それによりライダーに及ぼし得る衝撃を吸収してもよい。
【００１８】
第１リンク又は要素を、上端部で、副フレームの両側アーム夫々に、下端部で中間フレームに、適宜連結する。アームは、第１要素又はリンクの上端部を、様々な位置で取付けてもよく、該位置によって第１枢動軸の位置を様々に規定する。この取付位置を、両側のアームにある耳部で規定してもよい。異なる取付位置には、夫々の耳部に離間して実装した孔を備え、該孔を通して、第１要素又はリンクをアームに、例えば適当なシャックル又は他の連結具によって固定してもよい。
【００１９】
好適には、第１吊着手段と中間フレームとの連結部により、第２枢動軸を規定する。従って、第１要素又はリンクの中間フレームへの連結部により、第２枢動軸を規定する。好適には、シャックル又は他の連結具を設けて、第１要素又はリンクの下端部を中間フレームに連結する。
【００２０】
好適には、ボードを第２吊着手段で、中間フレームから吊着して、静止位置で第１及び第２枢動軸に略垂直に延在する第３枢動軸について可動にする。好適には、該第２吊着手段には、対向する吊着要素を備える。好適には、該吊着要素には、第２長尺要素又はリンクを備える。好適には、該第２吊着要素を、該要素の上端部で中間フレームに、下端部でボードに連結し、該第２吊着要素の中間フレームへの連結部により、第３枢動軸を規定する。好適には、第２吊着要素を中間フレームに、該フレームの径方向両側で、第１吊着要素の中間フレームへの連結部に対して約９０度の位置で、連結する。
【００２１】
第２要素又はリンクには、可撓性要素又はリンク、例えばロープ、帯紐、コード、鎖又はワイヤ又はそれらの組合せを、適宜備える。該リンク又は要素を、代わりに、剛性リンク又は要素としてもよい。該第２吊着要素を、それらの上端部で、中間フレームにシャックル又は他の連結手段で連結してもよい。
【００２２】
好適には、第２吊着要素の下端部を、ボード両側に、ボード両端部間の中間位置、好適には中心で連結する。第２吊着要素のボードへの連結部により、静止位置で第３枢動軸と略平行して延在するボードに対して第４枢動軸を規定する。第２吊着要素を、該要素の下端部で、ボードの両側に設けたアイレットに連結してもよい。第２吊着要素を、スナップシャックル等のシャックル又は任意の他のアイレットへの連結具で、結合してもよい。
【００２３】
第２吊着要素によってまた、ボードを中間フレームに関して、第１及び第２及び第３及び第４軸に垂直に延在する第５軸について、限定的に枢動動作を可能にもできる。
【００２４】
主フレーム組立体の吊着フレーム部材を、使用時に、例えば天井フレーム部材又は梁に固定した輪付ボルト又はネジに連結する等して、任意の高所アンカポイントから、自由に垂直軸について回転動作し、任意の方向に揺動動作するように、吊着してもよい。主フレーム部材を、或は、自在継手によって高所アンカポイントから吊着してもよい。或は、主フレーム部材を、水平レール等から懸吊させてもよい。主フレーム組立体の垂直軸についての枢動動作に抵抗する手段を、設けてもよい。該抵抗手段には、弾性抵抗力を主フレーム組立体の回転に対して提供し、容易にセルフセンタリング位置に向かい主フレーム組立体を戻すようにする、弾力性又は弾性手段を備えてもよい。該弾性抵抗手段を、吊着フレーム部材をアンカポイントに連結する手段と関連させてもよい。
【００２５】
上述のボードの支持方法により、ボードの横断方向軸についての枢動動作だけでなく、相対方向でのボードの揺動、及びボードの垂直軸についての限定的な枢動動作が可能になる。中間フレームによって、ボードが、その枢動動作の横断方向軸に直角に延在するが、該軸から離隔する軸について更に枢動動作可能になる。その結果、可能になった動作範囲で、ライダーは、あたかもサーフボード、スケートボード、スノーボード又はカイトサーフィンボードに乗ったごとき経験をするような、広範な動作を体験できる。
【００２６】
上述のボードの支持方法により、ボードの横断方向軸についての枢動動作だけでなく、相対方向でのボードの揺動、及びボードの垂直軸についての限定的な枢動動作が可能になる。中間フレームによって、ボードが、その枢動動作の横断方向軸に直角に延在するが、該軸から離隔する軸について更に枢動動作可能になる。その結果、可能になった動作範囲で、ライダーは、あたかもサーフボード、スケートボード、スノーボード又はカイトサーフィンボードに乗ったごとき経験をするような、広範な動作を体験できる。
【発明を実施するための最良の形態】
【００２７】
本発明について一層容易に理解し、実用化可能にするために、次に本発明の好適実施例を説明する添付図について言及する。
【００２８】        
図面、まず図１〜図４を参照すると、本発明の１実施例によるスポーツボード・シミュレータ１０について説明しており、該シミュレータ１０には、高所アンカポイントから吊着するよう構成した主支持フレーム組立体１１を含む。主フレーム組立体１１には、部分的に円弧状をした吊着フレーム部材１２を備え、該部材を典型的には管状部材とし、該管状部材には、該部材１２をアンカポイントに取着してもよい輪付ボルト１４又は他の継手を担持する第１上端部１３と、副フレーム１６を固定する第２下端部１５とを有し、該副フレーム１６をフレーム部材１２で、シミュレータ１０の縦方向軸Ａ-Ａに対して対称的に支持し、シミュレータ１０の静止位置では該Ａ-Ａ軸を略垂直にする。フレーム部材１２を、部分的に円形又は円弧形で示したが、例えば、正方形、長方形、楕円形又はＶ字型又はＵ字型等、様々な異なる形状としてもよい。
【００２９】
図３及び図４でより明瞭に示すように、副フレーム１６を、平面図で略Ｕ字型又はＶ字型とし、一対の両側に開平したアーム１７と、該副フレームの頂点にアーム１７の横断方向及び上方に延伸する中心スピゴット１８を有し、該スピゴットを、吊着フレーム部材１２の下端部１５内に受容させ、そこで溶接又はボルトで固定する。着脱可能なハンドル部材１９を、アーム１７の自由端に設け、アーム１７から延伸可能なように該アーム内に伸縮自在に受容可能にするが、図示した実施例では、ハンドル部材１９を上斜めに向け、該部材にはハンドグリップ２０を担持させている。孔２２を有する第１の横方向に並べた耳部２１対を、副フレーム１６の両側に設け、各アーム１７の上側に固定する。更なる耳部２３を、フレーム１６の両側にも設け、各アーム１７の下側に固定する。耳部２３には、以下で明らかになる目的のために、複数の離間させた孔２４を設ける。
【００３０】
副フレーム１６で装着帯２５を支持する（図７乃至図１０も参照）が、該装着帯を、ユーザの身体周りに腰部又は臀部で固定するように構成する。装着帯２５をベルト状の部材とし、この実施例では内層に発泡体２７及び２８を詰めた重いプラスチックの外側パネル２６を備える。層２７を同実施例では１０ｍｍの高密度発泡体とし、層２８は５０ｍｍの中密度発泡体から成る。発泡体２７及び２８とパネル２６を、繊維又は他の柔軟な材料製の外側カバー２９内に封入する。帯紐３０をカバー２９の内側に固定するが、例えば、紐３０の片方の端部を縫合して、雌バックル３１で終端させ、他端部をループ３２に自在に通して雄バックル３３で終端させて、これを行う。帯紐３０を該端部では遊離状態にして、ループ３２を通して可動にする。１対のネジ付スタッド３４を金属裏当てプレート３５に固着し、該プレートを、カバー２８内のパネル２６内側に、装着帯２５の中心で対称的に配置する。スタッド３４は、装着帯２５の裏側で、パネル２６及びカバー２９の開口部を通り外方に延在する。スタッド３４を、しかしながら、図１１に示すように、耳部２１の各孔２２に挿入し、耳部２１にナットによって固定する。これにより装着帯２５が取着フレーム１６にしっかりと固着される。スタッド３４は該孔２１内で回転でき、それにより装着帯２５を、フレーム１６の横断方向に延伸する軸Ｂ-Ｂと軸Ａ-Ａについて限定的に枢動可能になる。（図４参照）。別の仕組みでは、耳部２１を除いて、スタッド３４を単に直接アーム１７に固定して、装着帯２５に対して所望の枢動を提供してもよい。
【００３１】
図５及び図６でも示す中間ボード支持用枢動フレーム３６を、副フレーム１６から吊着し、フレーム３６は、典型的には環状の剛性金属又はガラス強化プラスチック製リングから成る。リング状フレーム３６を、ネオプレン管等の軽量の保護パッド３７で被覆する。両側の可撓性要素又は線３８には、例えば鎖、予張したロープ、ウェビング、ワイヤ又はケーブル、或はそれらの組合せ等を備えることができ、該要素又は線３８により、リング状フレーム３６を副フレーム１６に固定し、該要素又は線３８を、下端部でシャックル３９によってフレーム３６の径方向両側にある部品に固定する。要素又は線３８の上端部を各耳部２３に、該耳部の選択した孔２４に通して、適当なシャックル又は他の連結用仕組みを使用して、固定する。可撓性要素又は線３８に代わるものとして、長尺の剛性リンクを使用してもよく、該リンクをフレーム３６及びフレーム１６に夫々同様に枢動連結させる。要素３８と耳部２３との間の連結部により、縦軸Ａ-Ａを横断して延在する第１枢動軸Ｃ-Ｃを規定し、要素３８と中間フレーム３６との間の連結部により、第１枢動軸Ｃ-Ｃと略平行に延在する第２枢動軸Ｄ-Ｄを規定する（図１参照）。
【００３２】
長尺の略平坦なボード４０（図１２及び図１３も参照）は、スケートボード、スノーボード又はカイトサーフィン用デッキとサイズ、形状を同様なものとし、ファイバーグラス、金属又は合板等の材料製として強度を高めることができ、これを中間フレーム３６から２本の更なる線又は要素４１で吊着する。線又は要素４１を、それらの上端部で、フレーム３６にシャックル４２でフレーム３６の径方向両側部分に固定するが、線３８のシャックル３９を通したフレーム３６への取着点から９０度離間させた位置で、これを行う。線又は要素４１の上端部と中間フレーム３６との間の連結部により、第１及び第２枢動軸Ｃ-Ｃ及びＤ-Ｄと直角な、第３枢動軸Ｅ-Ｅを規定する。
【００３３】
線又は要素４１を、鎖、予張したロープ、ウェビング、ワイヤ又はケーブル、或はそれらの組合せとしてもよく、これらをボード３９の両側に、ボード３９の両端部との中間に存在する該ボード３９の平衡点で、固定し、それによりボード３９を、図６及び図１２において点線で表した、ボード３９の長手方向軸に垂直に延在する軸Ｆ-Ｆの周りに枢動可能にする。要素又は線４１を、任意の適切な継手、例えば、ボード４０の両横側に固着した輪付ボルト４３に着脱可能に固定するシャックル４２等で、ボード４０に取着する。輪付ボルト４３を、ボード４０の両端部を遊離状態にしたまま、ボード４０の中間の両端部に配置し、両輪付ボルト４３により、軸Ｅ-Ｅと平行に延在する横断方向の枢動軸Ｆ-Ｆを規定する。輪付ボルト４３で規定する枢動軸Ｆ-Ｆを、ボード４０の両端部の略中心に存在させ、それによりボード４０を軸Ｆ-Ｆに関して略平衡にする。他の仕組みでは、線又は要素４１には、両端部でフレーム３６及びボード４０に枢着する長尺の剛性リンクを備えてもよい。
【００３４】
設置に関しては、図１４で示すように、シミュレータ１０を、例えば、任意の安定したアンカポイントから、例えば主フレーム部材１２の端部１３に連結した輪付ボルト１４を使用して、吊着し、それによりフレーム部材１２が、ボルト１４の軸について任意の方向に枢動できるようにする。スナップシャックル４３を使用して、輪付ボルト１４を、梁４５を貫通してボルト固定した更なる輪付ボルト４４へ連結する。シミュレータ１０を梁４５から、床又は地面とボード４０との間に十分に間隔が開くように吊着して、ボード４０の端部が、輪付ボルト４３で規定した枢動軸について前後に完全に傾斜させると、床又は地面に極僅かに接触するか、極僅かに上に来るようにする。当然ながら、図１４に示した取付けにより、シミュレータ１０を、輪付ボルト１４の軸で規定した垂直軸について枢動又は旋回可能になるだけでなく、水平軸についても任意の方向に揺動可能になる。
【００３５】
図１５に示す吊着の仕組みでは、シミュレータ１０の回転運動を制限するよう設計しており、輪付ボルト１４が主フレーム部材１２の端部１３に直角に延伸し、スペーサ４６を通過して、ナット４７で適所に固着されており、それにより縦軸について回転可能にしている。輪付ボルト１４を、シャックル４８、及び鎖リンク４９を介して輪付プレート５０に連結し、該輪付プレート５０を梁４５にボルトで固定する等して固定する。ゴム又は他の弾力性又は弾性材料製の１対の弾性抵抗リング５１を、主フレーム部材１２の端部１３と輪付ボルト１４の輪５２との間で、輪付ボルト１４の両側に延在させる。或は、これら１対のリング５１を、単一のリングに置換してもよい。こうした構造のシミュレータ１０用吊着の仕組みにより、シミュレータが自動的に中心に戻るようになっている。従って、主フレーム組立体１１、従ってシミュレータ１０の吊着フレーム部材１２を、何れかの方向に回転させると、弾性リング又はリング５１が引張られ、容易にシミュレータ１０を反対側に回転運動させ、中立位置にシミュレータを戻す。
【００３６】
使用時には、図１及び図１６で示すように、ライダー５３はボード４０に、片方の端部を傾けて地面に着けて固定させて、乗る。ライダー５３はその後後退して装着帯２５に接触して、自分の腰部又は臀部周りでクリップ３１と３３を留めて、紐３０を引締め、それによりフレーム１６に付着した状態になる。ライダー５３は、この時点で、吊着フレーム部材１２が背後にあり、アーム１７が腰部又は臀部の高さで、身体の両側で前方に延在した状態となる。
【００３７】
ライダー５０は、ハンドル１９のハンドグリップ２０を把持し、足で水平を保ち、自分の体重を移動させて、シミュレータ１０を揺動し始める。枢動軸Ｃ-Ｃを、略股関節の高さにし、そうしてライダー５０が臀部を曲折すると、ボード４０及び中間フレーム３６が軸Ｃ-Ｃについて枢動する。この動作では、装着帯又はベルト２５の軸Ｂ-Ｂについての枢動動作を伴うこともできる。軸Ｄ-Ｄを、略膝の高さにし、そうして膝を屈曲又は曲折すると、中間フレーム３６及びボード４０が軸Ｄ-Ｄについて枢動動作する。ボード５０を、ライダーが軸Ｅ-Ｅ及び軸Ｆ-Ｆの両軸について枢動させることもできる。
【００３８】
ボード４０も、主フレーム組立体１１をそのアンカポイントから吊着するため、回転及び回動でき、それによりライダーは、図１６中の矢印で表すように、サーフィン、スノーボーディング、スケートボーディング又はカイトサーフィンで見られる、多数の異なる軸について操作を行える。図１７で示すようにリング状の中間フレーム３６は、水平姿勢から略９０度以上の垂直位置まで任意の方向に揺動でき、シミュレータ１０のスイベル取付けで規定される垂直軸について可動である。ライダーは、リング３６に対して任意の方向に４５度の位置まで、リング３６と共に９０度の位置まで簡単に揺動できる一方で、フレーム３６及びボード４０を、図１９で明らかなように３６０°回転できる。装着帯２５により、ライダーの落下を防ぐだけでなく、身体を動かしてシミュレータ１０を更に制御することもできる。ライダーが経験を積むにつれ、ハンドル部材１９を除去し、腕を自由にして、ライダーの両腕の動作を全く妨害しないようにできる。或は、ライダーは装着帯２５無しで本装置１０を使用し、単にハンドル部材１９だけを把持することができる。
【００３９】
勿論、シミュレータ１０を任意の方法で、例えば天井大梁、任意の形状のクロスレール、揺動する又は強い樹木の大枝に掛けたフレームと同様なフレーム等の専用フレーム等の、高所取付体に固定してもよい。輪付ボルト以外の他の手段を使用して、適所にシミュレータ１０を固定してもよい。
【００４０】
ジンバル状に吊着することで、ボードの動作が自由になり、そのためシミュレータ上のライダーは、実際のスポーツでの、回動操作、重力加速度、無重力状態、速度及び技術的応用を再現できる。本シミュレータにより、ライダーが低運動レベルから開始して、自分の選んだスポーツで運動能力を向上させ、同時に安全に制御して操作を練習及び習得できる。従って、サーフボード乗りに必要な技能又はスノーボーディング技能を習得したいライダーは、技能を習得する又は向上させる、及び単に乗ることを楽しむために、海や雪原に行く必要がなくなる。
【００４１】
本明細書及びクレーム全体を通して使用する、用語“備える（ｃｏｍｐｒｉｓｉｎｇ）”又は“備える（ｃｏｍｐｒｉｓｅｓ）”は、言及した上記特徴、整数及び構成要素の存在を特定するが、１つ又は複数の他の特徴、整数、構成要素又はその群の存在又は追加を排除するものではないと解釈される。
【００４２】
上記は、本発明の実施例を説明する目的で挙げたものであり、それらに対する、当業者には明白であろうあらゆる変形例及び変更例については、付記されたクレームで定義するように、広範に亘る本発明の範囲及び領域内に包含するものと見なす。
【図面の簡単な説明】
【００４２】
【図１】本発明の１実施例による、スポーツボード・シミュレータに、ライダー又はユーザをその上に支持した正面図である。
【図２】シミュレータの主フレーム組立体の側面図である。
【図３】シミュレータの主フレーム組立体の前面図である。
【図４】シミュレータの主フレーム組立体の平面図である。
【図５】中間支持フレームの平面図である。
【図６】シミュレータの中間支持フレーム及び吊着したボードの側面図である。
【図７】シミュレータの装着帯を両側から見た前面図について説明する。
【図８】シミュレータの装着帯を両側から見た前面図について説明する。
【図９】装着帯の平面図である。
【図１０】装着帯の構造に関する詳細について説明する。
【図１１】装着帯を主フレーム組立体の副フレームのアームに固定する方法、及びその部分での装着帯の断面図について説明する。
【図１２】等角図で、シミュレータで使用するボードの１形態について、説明する。
【図１３】側面図で、シミュレータで使用するボードの１形態について、説明する。
【図１４】シミュレータを支持する、他の取付仕組みについて説明する。
【図１５】シミュレータを支持する、他の取付仕組みについて説明する。
【図１６】シミュレータを使用する方法について説明する。
【図１７】前又は横の典型的なシミュレータの中間フレームの動作について説明する。
【図１８】典型的な中間フレームの動作について説明する平面図である。
【図１９】典型的なボード及び中間フレームの動作について説明する平面図である。
【図２０】典型的なシミュレータのボードの動作について側面図である。
【符号の説明】
【００４２】
１０                  シミュレータ
１１                  主支持フレーム組立体
１２                  吊着フレーム部材
１３                  第１上端部
１４、４３        輪付ボルト
１５                  第２下端部
１６                  副フレーム
１７                  アーム
１８                  中心スピゴット
１９                  ハンドル部材
２１、２３        耳部
２２、２４        孔
２５                  装着帯
２６                  パネル
２７、２８        発泡体
２９                  外側カバー
３１、３３        クリップ
３４                  スタッド
３５                  プレート
３６                  フレーム
３７                  保護パッド
３８、４１        可撓性要素又は線
３９、４２        シャックル
４０                  ボード
４５                  梁
４６                  スペーサ
４７                  ナット
５０                  輪付プレート
５３                  ライダー
【国際調査報告】
2009520518.tif 000023
2009520518.tif 000024
2009520518.tif 000025